【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
遊技媒体が始動領域を通過したことにもとづいて各々が識別可能な識別情報の可変表示を実行し表示結果を導出表示する可変表示手段を備え、前記可変表示手段に導出表示される表示結果が予め定められた特定表示結果となったときに、遊技状態を遊技者にとって有利な特定遊技状態に制御する遊技機であって、
前記可変表示手段において前記識別情報の可変表示の実行中に前記遊技媒体が始動領域を通過したときに、前記特定遊技状態に制御するか否かを特定するための情報を所定の上限数の範囲内で保留記憶情報として記憶する保留記憶手段と、
前記可変表示手段において前記識別情報の可変表示が実行されていないときに前記保留記憶手段に記憶された保留記憶情報にもとづいて前記可変表示手段の可変表示を実行する可変表示制御実行手段と、を備え、
前記特定遊技状態に制御する旨を示す保留記憶情報が前記保留記憶手段に記憶されているときに、当該保留記憶情報に基づく可変表示より以前に、当該保留記憶情報に基づく表示結果が前記特定表示結果となることを予告する予告演出を実行する予告演出実行手段と、
前記予告演出実行手段による前記予告の実行を許可する予告モードと前記予告演出実行手段による前記予告の実行を禁止する非予告モードとのいずれかに遊技モードを切り換える遊技モード切換手段とを備えることを特徴とする、遊技機。
【手続補正２】
【補正対象書類名】明細書
【補正対象項目名】０００４
【補正方法】変更
【補正の内容】
【０００４】
しかしながら、この従来の遊技機においては著しく射幸心を煽るという不都合が生ずる。
【手続補正３】
【補正対象書類名】明細書
【補正対象項目名】０００５
【補正方法】変更
【補正の内容】
【０００５】
本発明は、係る実情に鑑み考え出されたものであり、その目的は、過度の射幸性を抑制することができる遊技機を提供することである。
【手続補正４】
【補正対象書類名】明細書
【補正対象項目名】０００６
【補正方法】変更
【補正の内容】
【０００６】
（１）  遊技媒体が始動領域を通過したこと（始動入賞）にもとづいて各々が識別可能な識別情報の可変表示を実行し表示結果を導出表示する可変表示手段（演出表示装置９）を備え、前記可変表示手段に導出表示される表示結果が予め定められた特定表示結果（大当り図柄）となったときに、遊技状態を遊技者にとって有利な特定遊技状態（大当り）に制御する遊技機（パチンコ遊技機１）であって、
前記可変表示手段において前記識別情報の可変表示の実行中に前記遊技媒体が始動領域を通過したときに、前記特定遊技状態に制御するか否かを特定するための情報（ランダムＲから抽出した値、当り判定結果）を所定の上限数の範囲内で保留記憶情報として記憶する保留記憶手段（図１７のＳ２１５、Ｓ２２６）と、
前記可変表示手段において前記識別情報の可変表示が実行されていないときに前記保留記憶手段に記憶された保留記憶情報にもとづいて前記可変表示手段の可変表示を実行する可変表示制御実行手段（図１６のＳ３００〜Ｓ３０４、図５３のＳ８００、Ｓ８０１〜Ｓ８０３）と、を備え、
前記特定遊技状態に制御する旨を示す保留記憶情報が前記保留記憶手段に記憶されているときに、当該保留記憶情報に基づく可変表示より以前に、当該保留記憶情報に基づく表示結果が前記特定表示結果となることを予告する予告演出を実行する予告演出実行手段（図５２、図５８のＳ６７５〜Ｓ６８０、図５９、図６０、図６３）と、
前記予告演出実行手段による前記予告の実行を許可する予告モードと前記予告演出実行手段による前記予告の実行を禁止する非予告モードとのいずれかに遊技モードを切り換える遊技モード切換手段（図３５のＳ６４１ａ、Ｓ６４３ａ、Ｓ６４３ｂ、図３４のＳ６２３ａと図５２のＳ６６４ｂで変動カウンタの初期化、図５４（Ｂ）、図５５のＳ４９８〜Ｓ５００）とを備える。
【手続補正５】
【補正対象書類名】明細書
【補正対象項目名】０００７
【補正方法】変更
【補正の内容】
【０００７】
このような構成によれば、特定遊技状態に制御する旨を示す保留記憶情報が保留記憶手段に記憶されているときに、当該保留記憶情報に基づく可変表示より以前に表示結果を導出表示する可変表示において、当該保留記憶情報に基づく表示結果が特定表示結果となることを予告する予告演出が、予告演出実行手段により実行される。そして、予告の実行を許容する予告モードと予告の実行を禁止する非予告モードとのいずれかに遊技モードを切換える遊技モード切換手段が備えられており、非予告モードに切換えられているときには予告の実行が禁止され、予告モードに切換えられているときに予告演出実行手段による予告演出が実行される。その結果、過度の射幸性の向上の不都合が防止できる。
【手続補正６】
【補正対象書類名】明細書
【補正対象項目名】０００８
【補正方法】変更
【補正の内容】
【０００８】
（２）  上記（１）の遊技機において、前記可変表示手段に導出表示された識別情報の表示結果が複数種類の特定表示結果のうちの特別表示結果（チャンスボーナス図柄または奇数のぞろ目または「１２３」）となったときに、前記特定表示結果になりやすい特別遊技状態（確変状態、時短状態）に遊技状態を制御するものであり（図２９のＳ１６１で確変フラグがセットされＳ１６２で時短フラグがセットされ、図８（Ａ）の確変時の大当り判定テーブルが用いられて大当り発生確率が１０倍に向上し、かつ、図柄の変動時間が短縮される）、
前記特別遊技状態には、前記可変表示手段に導出表示される識別情報の表示結果が第１特別表示結果（「１２３」）となったときに制御される第１特別遊技状態（２Ｒ確変大当り）と、前記可変表示手段に導出表示される識別情報の表示結果が第２特別表示結果（奇数のぞろ目）となったときに制御され、前記第１特別遊技状態よりも遊技者にとっての有利度合いが大きい第２特別遊技状態（１５Ｒ確変大当り）とを含む複数種類の特別遊技状態があり、
前記遊技モード切換手段は、前記可変表示手段に前記第１特別表示結果が導出表示される旨の決定にもとづいて遊技モードを前記非予告モードから前記予告モードに切り換える（図３５のＳ６４３ａ、Ｓ６４３ｂ）。
【手続補正７】
【補正対象書類名】明細書
【補正対象項目名】００１０
【補正方法】変更
【補正の内容】
【００１０】
（３）  上記（１）または（２）の遊技機において、前記可変表示手段に導出表示された識別情報の表示結果が複数種類の特定表示結果のうちの特別表示結果（チャンスボーナス図柄または奇数のぞろ目）となったときに、前記特定表示結果になりやすい特別遊技状態に遊技状態を制御するものであり（図２９のＳ１６１で確変フラグがセットされＳ１６２で時短フラグがセットされ、図８（Ａ）の確変時の大当り判定テーブルが用いられて大当り発生確率が１０倍に向上し、かつ、図柄の変動時間が短縮される）、
前記特定遊技状態には、前記可変表示手段に導出表示される識別情報の表示結果が第１特定表示結果（「１２３」）となったときに制御される前記特別遊技状態と異なる第１特定遊技状態（小当たり）と、前記可変表示手段に導出表示される識別情報の表示結果が第２特定表示結果（偶数のぞろ目）となったときに制御される前記特定遊技状態と異なり、かつ前記第１特定遊技状態よりも遊技者にとっての有利度合いが大きい第２特定遊技状態（１５Ｒ非確変大当り）とを含む複数種類の特定遊技状態があり、
前記遊技モード切換手段は、前記可変表示手段に前記第１特定表示結果が導出表示される旨の決定にもとづいて遊技モードを前記非予告モードから前記予告モードに切り換える（図３５のＳ６４３ａ、Ｓ６４３ｂ）。
【手続補正８】
【補正対象書類名】明細書
【補正対象項目名】００１２
【補正方法】変更
【補正の内容】
【００１２】
（４）  上記（１）〜（３）のいずれかの遊技機において、前記可変表示制御実行手段による可変表示制御の実行回数を計数する計数手段（変動カウンタ）を備え、
前記遊技モード切換手段は、前記計数手段の計数値が所定値（１００）になったときに、遊技モードを切り換える（図５５のＳ４９９、Ｓ５００）。
【手続補正９】
【補正対象書類名】明細書
【補正対象項目名】００１４
【補正方法】変更
【補正の内容】
【００１４】
（５）  上記（１）〜（４）のいずれかの遊技機において、前記可変表示制御実行手段による可変表示制御において実行する可変表示パターンを選択する可変表示パターン選択手段（図２２）を備え、
前記遊技モード切換手段は、前記可変表示パターン選択手段により特定の可変表示パターン（３回擬似連）が選択されたときに、遊技モードを切り換える（遊技制御用マイクロコンピュータ５６０が３回疑似連を選択決定した後所定期間が経過するまでの間においてのみ、第１先読み処理（Ｓ２１９）、第２先読み処理（Ｓ２３０）を実行する）。
【手続補正１０】
【補正対象書類名】明細書
【補正対象項目名】００１６
【補正方法】変更
【補正の内容】
【００１６】
（６）  上記（１）〜（５）のいずれかの遊技機において、前記遊技モード切換手段は、前記予告演出実行手段により、前記保留記憶手段に記憶された前記保留記憶情報に基づいて表示結果が前記特定表示結果となることを予告する予告演出を実行した場合、前記非予告モードに切り換える（図１７のＳ２１８あるいはＳ２２９でＹＥＳ、図５２のＳ６６１でＹＥＳ）。
【手続補正１１】
【補正対象書類名】明細書
【補正対象項目名】００１８
【補正方法】変更
【補正の内容】
【００１８】
（７）  上記（６）の遊技機において、前記遊技モード切換手段は、前記特定遊技状態が終了したことに基づいて前記予告モードに切り換える（図２８のＳ４４９ａで先読み大当りフラグをリセットし、図１６のＳ３０９で先読み小当りフラグをリセットする）。
【手続補正１２】
【補正対象書類名】明細書
【補正対象項目名】００２０
【補正方法】変更
【補正の内容】
【００２０】
（８）  上記（１）〜（７）のいずれかの遊技機において、実行する可変表示パターンを選択する可変表示パターン選択手段として、
前記可変表示パターンの種別を複数種別の中から選択する第１段階パターン選択手段（図２２のＳ１０１）と、
該第１段階パターン選択手段が選択した種別に属する複数種類の可変表示パターンの中から可変表示パターンを選択する第２段階パターン選択手段（図２２のＳ１０５）とを含む。
【手続補正１３】
【補正対象書類名】明細書
【補正対象項目名】００２２
【補正方法】変更
【補正の内容】
【００２２】
（９）  上記（１）〜（８）のいずれかの遊技機において、前記予告演出実行手段は、所定の識別情報の可変表示の実行中に当該可変表示において導出表示される表示結果が前記特定表示結果となることを予告する通常予告演出を実行可能であり（図４３および図４４、図５８のＳ６７６、Ｓ６７７、Ｓ６８２、Ｓ６８３）、
前記予告演出および前記通常予告演出を含む予告に用いる予告演出態様を予め定めた複数種類の中から選択する予告演出態様選択手段（図５８のＳ６７６、Ｓ６７７）を備え、
該予告演出態様選択手段は、
前記予告演出態様の種別を複数種別の中から選択する第１段階演出態様選択手段（図５８のＳ６７６、Ｓ６８２）と、
該第１段階演出態様選択手段が選択した種別に属する複数種類の予告演出態様の中から予告演出態様を選択する第２段階演出態様選択手段（図５８のＳ６７７、Ｓ６８３）とを含む。